(57)【要約】【課題】半硬質合成樹脂製ホースを、ホース内径拡大強圧挿入器具を使用しないで、給水栓その他の栓体の継手類に手押しで簡単容易かつ迅速に挿入することができるようにしたホースキャップを提供するものである。【解決手段】ホース２０の外周面２１に外嵌する外嵌部１１と、前記外嵌部１１から折り曲げられて、ホース２０の内周面２２に内嵌する内嵌部１２とからなり、ホース２０先端に装着して、ホース２０の係止体３１を設けた継手類３０に、ホース拡径強圧挿入器具を使用することなく、手押しで挿入することができるようにしたもの。【選択図】        図４
2007113761.tif 000002
【特許請求の範囲】
【請求項１】
ホース２０の外周面２１に外嵌する外嵌部１１と、前記外嵌部１１から折り曲げられて、ホース２０の内周面２２に内嵌する内嵌部１２とからなり、ホース２０先端に装着して、ホース２０の係止体３１を設けた継手類３０に、ホース拡径強圧挿入器具を使用することなく、手押しで挿入することができるようにしたことを特徴とするホースキャップ。
【請求項２】
ホース２０の外周面２１に外嵌する外嵌部１１Ｂと、前記外嵌部１１Ｂから折り曲げられて、ホース２０の内周面２２に内嵌する内嵌部１２Ｂと、前記内嵌部１２Ｂの先端から伸びる先細部１４Ｂとからなり、ホース２０先端に装着して、ホース２０の係止体３１を設けた継手類３０に、ホース拡径強圧挿入器具を使用することなく、手押しで挿入することができるようにしたことを特徴とするホースキャップ。
【請求項３】
前記先細部１４Ｂが切目１４０Ｂによって複数個の小片部１４１Ｂに形成されていることを特徴とする請求項２記載のホースキャップ。
【請求項４】
前記外嵌部１１又は１１Ｂの内面１１１又は１１１Ｂにホース２０長さ方向に１本又は複数本の案内突条１３又は１３Ｂを設けたことを特徴とする請求項１、２又は３記載のホースキャップ。
【発明の詳細な説明】
【技術分野】
【０００１】
本発明は、給水栓、給湯栓、その他の栓体の継手類に、ホースを挿入するため、ホース先端に取りつけるホースキャップに関する。
【背景技術】
【０００２】
本発明者は、上記栓体の継手類３０に、図７に示すような、ホース２０の内径より大きい係止体３１が１個又は複数個設けられると共に、Ｏリングを１個又は複数個嵌入した継手類３０を開発し、これに挿入されるホース２０が水圧により継手類３０から確実に離脱することができないようにすると共に、完全に水洩れ防止ができるようにしたが、係止体３１を設けた継手類３０に、ホース２０をそのまま挿入しようとすれば、図８に示すようにホースが比較的柔らかいホースであっても、Ｏリング３２がホース係止体３１に続いて設けられている場合は、ホース挿入作業時に、Ｏリング３２をＯリング嵌入溝３３から引き出してホース２０との密着作用を阻害する恐れがあった。
そこで、継手類３０の係止体３１にホース２０を挿入するために、ホース２０が架橋ポリエチレン管等のような半硬質管の場合は、ホース２０の内径を特開平６−１８２６７５号公報の図１、図４に示すようなホース拡径強圧挿入器具で拡大して強圧挿入していたが、この種の器具は高価な上に取扱いが厄介で迅速に作業できない欠点があった。
そこで、本発明者は、この種の器具を必要とせず、ホースの先端に取りつければ、そのままホースの内径を拡大して手押しで挿入できるようにしたホースキャップを開発することに成功した。
【特許文献１】特開平６−１８２６７５号
【発明の開示】
【発明が解決しようとする課題】
【０００３】
本発明は、半硬質合成樹脂製ホースを、ホース内径拡大強圧挿入器具を使用しないで、給水栓その他の栓体の継手類に手押しで挿入することができるようにしたホースキャップを提供するものである。
また、本発明は、前記栓体の継手類へ前記ホースを簡単容易かつ迅速に挿入できると共に、安価に製作できるホースキャップを提供するものである。
【課題を解決するための手段】
【０００４】
本発明ホースキャップは、上記課題を達成するため、図示するように、請求項１の発明は、ホース２０の外周面２１に外嵌する外嵌部１１と、前記外嵌部１１から折り曲げられて、ホース２０の内周面２２に内嵌する内嵌部１２とからなり、ホース２０先端に装着して、ホース２０の係止体３１を設けた継手類３０に、ホース拡径強圧挿入器具を使用することなく、手押しで挿入することができるようにしたものである。
また、本発明のホースキャップは、上記課題を達成するため、図示するように、請求項２の発明は、ホース２０の外周面２１に外嵌する外嵌部１１Ｂと、前記外嵌部１１Ｂから折り曲げられて、ホース２０の内周面２２に内嵌する内嵌部１２Ｂと、前記内嵌部１２Ｂの先端から伸びる先細部１４Ｂとからなり、ホース２０先端に装着して、ホース２０の係止体３１を設けた継手類３０に、ホース拡径強圧挿入器具を使用することなく、手押しで挿入することができるようにしたものである。
また、本発明のホースキャップは、上記課題を達成するため、図示するように、請求項３の発明は、請求項２の発明において、前記先細部１４Ｂが切目１４０Ｂによって複数個の小片部１４１Ｂに形成されているものである。
さらに、本発明ホースキャップは、上記課題を達成するため、図示するように、請求項４の発明は、請求項１、２及び３の発明において、前記外嵌部１１又は１１Ｂの内面１１１又は１１１Ｂにホース２０長さ方向に１本又は複数本の案内突条１３又は１３Ｂを設けたものである。
本発明において、使用するホースは、通常、ホース拡径強圧挿入器具を使用しなければ継手類に挿入できない架橋ポリエチレン管等のホースが使用される。
また、本発明において、外嵌部及び内嵌部、先細部、案内突条はいずれもポリエチレン等の軟質又は弾性合成樹脂製が望ましい。
案内突条は、架橋ポリエチレン管等の半硬質管又は硬質管を外嵌部と内嵌部との間に、弾性により、挟着して、挿入しやすく、抜けにくくするために設けるものである。
さらに、ホースの係止体を設けた継手類は、図６に示すもののほか、特願２００５−１７５９０３、特願２００５−１８７７８９に記載されているものが使用される。
【発明の効果】
【０００５】
本発明品は、ホースの拡径拡大強圧挿入器具を必要とせず、手押しでホースの内径を拡大して継手類の係止体を乗り超えて迅速容易に挿入することができると共に、Ｏリングが嵌着されている場合は、Ｏリングに何らの支障を及ぼさない利点がある。
また、本発明品は安価かつ簡単に製作できる利点がある。
【発明を実施するための最良の形態】
【０００６】
本発明品は、実施例１及び実施例２に示すものが発明を実施するための最良の形態である。
【実施例１】
【０００７】
本発明の実施例１が図１乃至図４に示されている。
本発明実施例のホースキャップは、ポリエチレン樹脂製で、図１に示すように、外嵌部１１と内嵌部１２と外嵌部１１の内面に設けた案内突条１３とからなっている。
外嵌部１１は、ホース２０の外周面２１に外嵌する内面１１１を有するもので、内面１１１にはホース２０の長さ方向に沿って図１乃至図３に示すように、３本の案内突条１３が設けられている。従って、本発明品をホース２０の先端に図２及び図３に示すように、外嵌部１１と内嵌部１２の間に挟着できるように、取りつけたのち、このホース２０を図４に示すように、継手類３０の係止体３１に、内嵌部１２が外嵌するように手押ししてホース２０を挿入すれば、Ｏリング３２をリング溝３３から引き出すことなく挿入でき、挿入したホース２０に対し継手類３０によってホースの密着化と係着化をはかることができる。
【実施例２】
【０００８】
本発明の実施例２が図５及び図６に示されている。
本発明実施例のホースキャップは、ポリエチレン樹脂製で、図５に示すように、外嵌部１１Ｂと内嵌部１２Ｂと外嵌部１１Ｂの内面に設けた案内突条１３Ｂと先細部１４Ｂとからなっている。
外嵌部１１Ｂはホース２０の外周面２１に外嵌する内面１１１Ｂを有するもので、内面１１１Ｂにはホース２０の長さ方向に沿って図５及び図６に示すように、３本の案内突条１３Ｂが設けられている。
先細部１４Ｂは中心に向かって先細に形成され、切目１４０Ｂによって複数個の小片１４１Ｂに分割されている。
従って、本発明品を、ホースの先端に、外嵌部１１Ｂと内嵌部１２Ｂの間に挟着できるように取りつけたのち、このホースを図４に示すように、継手類３０の係止体３１に内嵌部１２Ｂが外嵌するように手押ししてホースを挿入すれば、Ｏリング３２をリング溝３３から引き出すことなく挿入でき、挿入したホースに対し継手類３０により密着化と係着化をはかることができる。
【産業上の利用可能性】
【０００９】
本発明品は、製作容易で安価に量産できる。
【図面の簡単な説明】
【００１０】
【図１】本発明の実施例を示す説明図である。
【図２】図１にホース先端を挿入したときの説明図である。
【図３】図２のＸ−Ｘ線断面図である。
【図４】図２の使用状態の説明図である。
【図５】本発明の別の実施例を示す説明図である。
【図６】図５の側面図である。
【図７】継手類の説明図である。
【図８】図７の継手類にホースをそのまま強圧挿入したときの説明図である。
【符号の説明】
【００１１】
１１、１１Ｂ        外嵌部
１１１、１１１Ｂ    外嵌部内面
１２、１２Ｂ        内嵌部
１３、１３Ｂ        案内突条
１４Ｂ              先細部
１４０Ｂ            切目
２０                ホース
２１                ホース外周面
２２                ホース内周面
３０                継手類
３１                係止体
【図１】
2007113761.tif 000003
【図２】
2007113761.tif 000004
【図３】
2007113761.tif 000005
【図４】
2007113761.tif 000006
【図５】
2007113761.tif 000007
【図６】
2007113761.tif 000008
【図７】
2007113761.tif 000009
【図８】
2007113761.tif 000010